(57)【要約】【課題】環状の操作部材を有しつつ防水性が高い電子機器を提供する。【解決手段】携帯電話機１の第１筐体２には、環状の溝部７１と、溝部７１の底部７２に開口する操作用スリット７３とが形成されている。マクロノブ３７は、溝部７１に配置される環状部６５と、操作用スリット７３に挿入される操作用脚部６７とを有する。環状部６５の外周面８５は、第１筐体２の内部側の第１小径部８５ａと、第１小径部８５ａの第１筐体２の外部側に隣接し、第１小径部８５ａとの間に第１段差部８５ｃが形成されるように第１小径部８５ａよりも大径に形成された第１大径部８５ｂとを有する。外周側パッキン４５は、第１小径部８５ａに密着され、内周側パッキン４３は、溝部７１の内周側の側面７９に密着されている。【選択図】図９
2008060860.tif 000002
【特許請求の範囲】
【請求項１】
外側面において環状に延びる溝部と、前記溝部の底部に開口する操作用スリットとが形成されたケースと、
前記溝部に配置される環状部と、当該環状部から前記ケースの内部側へ突出し、前記操作用スリットに挿入される操作用脚部とを有する操作部材と、
前記ケース内に設けられ、前記環状部の周方向への回転に伴って前記操作用脚部により操作される被操作部と、
前記環状部の外周面と前記溝部の外周側の面との隙間を塞ぐ環状の外周側パッキンと、
前記環状部の内周面と前記溝部の内周側の面との隙間を塞ぐ環状の内周側パッキンと、
を有し、
前記環状部の外周面は、
前記ケースの内部側の第１小径部と、
前記第１小径部の前記ケースの外部側に隣接し、前記第１小径部との間に第１段差部が形成されるように第１小径部よりも大径に形成された第１大径部と、
を有し、
前記外周側パッキンは、前記第１小径部に密着され、
前記溝部の内周側の面は、
前記ケースの外部側の第２小径部と、
前記第２小径部の前記ケースの内部側に隣接し、前記第２小径部との間に第２段差部が形成されるように前記第２小径部よりも大径に形成された第２大径部と、
を有し、
前記内周側パッキンは、前記第２小径部に密着されている
電子機器。
【請求項２】
前記溝部の外周側の面は、
前記ケースの外部側に設けられ、前記第１小径部に密着する前記外周側パッキンの外周に密着する第３大径部と、
前記第３大径部の前記ケースの内部側に隣接し、前記第３大径部との間に第３段差部が形成されるように前記第３大径部よりも小径に形成された第３小径部と、
を有し、
前記外周側パッキンは、前記第１段差部と前記第３段差部との間に配置され、
前記環状部の内周面は、
前記ケースの内部側に設けられ、前記第２小径部に密着する前記内周側パッキンの外周に密着する第４大径部と、
前記第４大径部の前記ケースの外部側に隣接し、前記第４大径部との間に第４段差部が形成されるように前記第４大径部よりも小径に形成された第４小径部と、
を有し、
前記内周側パッキンは、前記第２段差部と前記第４段差部との間に配置されている
請求項１に記載の電子機器。
【請求項３】
前記ケースには、前記溝部に囲まれる領域に開口が形成され、
前記開口は、透光部材により塞がれ、
前記透光部材と前記ケースとは、前記透光部材及び前記ケースに密着し、前記開口を囲む環状の固定部材により固定されている
請求項１又は２に記載の電子機器。
【請求項４】
前記ケース内に前記開口に対向して配置されたレンズと、
前記開口から見て前記レンズの背後に配置された撮像素子と、
を有し、
前記被操作部は、前記レンズを光軸方向に移動させる移動機構である
請求項３に記載の電子機器。
【請求項５】
前記環状部は、前記溝部の底部に摺動可能に当接している
請求項１乃至４のいずれか一に記載の電子機器。
【請求項６】
前記溝部の底部には、係合用スリットが形成され、
前記操作部材は、前記環状部から前記ケースの内部側に突出し、前記係合用スリットに挿入され、前記ケースの内部側から係合用スリットの縁部に係合する係合用脚部を有し、
前記係合用スリットの内周側の面又は外周側の面には、前記環状部の周方向への回転に伴って前記係合用脚部に係合するとともに係合を解除してクリック感を生じさせる突部が形成されている
請求項１乃至５のいずれか一に記載の電子機器。
【請求項７】
前記操作部材は、前記ケースのうち前記溝部よりも外周側の面を覆う環状の被覆部を有している
請求項１乃至６のいずれか一に記載の電子機器。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、ノートパソコン等の電子機器に関する。
【背景技術】
【０００２】
従来、電子機器には、電子機器の機能を発揮させるための種々の操作部材が提案されている。例えば、特許文献１では、環状の操作部材の回転操作により携帯電話機に設けられたカメラのレンズと撮像素子との距離を変更する技術が開示されている。また、特許文献２では、スライド式の操作部材とケースとの間に環状のパッキンを配置し、操作部材とケースとの隙間からの水の浸入を防止する技術が開示されている。
【特許文献１】特開２００５−２１８１１９号公報
【特許文献２】特開平８−３２１８６２号公報
【発明の開示】
【発明が解決しようとする課題】
【０００３】
しかしながら、特許文献１に記載の技術では、防水構造については開示されておらず、耐水性に問題があった。また、特許文献２に記載の技術では、スライド式の操作部材に対する防水構造を示すものであり、環状の操作部材に対する防水構造について適用できるものではない。
【０００４】
本発明の目的は、環状の操作部材を有しつつ防水性が高い電子機器を提供することにある。
【課題を解決するための手段】
【０００５】
本発明の電子機器は、外側面において環状に延びる溝部と、前記溝部の底部に開口する操作用スリットとが形成されたケースと、前記溝部に配置される環状部と、当該環状部から前記ケースの内部側へ突出し、前記操作用スリットに挿入される操作用脚部とを有する操作部材と、前記ケース内に設けられ、前記環状部の周方向への回転に伴って前記操作用脚部により操作される被操作部と、前記環状部の外周面と前記溝部の外周側の面との隙間を塞ぐ環状の外周側パッキンと、前記環状部の内周面と前記溝部の内周側の面との隙間を塞ぐ環状の内周側パッキンと、を有し、前記環状部の外周面は、前記ケースの内部側の第１小径部と、前記第１小径部の前記ケースの外部側に隣接し、前記第１小径部との間に第１段差部が形成されるように第１小径部よりも大径に形成された第１大径部と、を有し、前記外周側パッキンは、前記第１小径部に密着され、前記溝部の内周側の面は、前記ケースの外部側の第２小径部と、前記第２小径部の前記ケースの内部側に隣接し、前記第２小径部との間に第２段差部が形成されるように前記第２小径部よりも大径に形成された第２大径部と、を有し、前記内周側パッキンは、前記第２小径部に密着されている。
【０００６】
好適には、前記溝部の外周側の面は、前記ケースの外部側に設けられ、前記第１小径部に密着する前記外周側パッキンの外周に密着する第３大径部と、前記第３大径部の前記ケースの内部側に隣接し、前記第３大径部との間に第３段差部が形成されるように前記第３大径部よりも小径に形成された第３小径部と、を有し、前記外周側パッキンは、前記第１段差部と前記第３段差部との間に配置され、前記環状部の内周面は、前記ケースの内部側に設けられ、前記第２小径部に密着する前記内周側パッキンの外周に密着する第４大径部と、前記第４大径部の前記ケースの外部側に隣接し、前記第４大径部との間に第４段差部が形成されるように前記第４大径部よりも小径に形成された第４小径部と、を有し、前記内周側パッキンは、前記第２段差部と前記第４段差部との間に配置されている。
【０００７】
好適には、前記ケースには、前記溝部に囲まれる領域に開口が形成され、前記開口は、透光部材により塞がれ、前記透光部材と前記ケースとは、前記透光部材及び前記ケースに密着し、前記開口を囲む環状の固定部材により固定されている。
【０００８】
好適には、前記ケース内に前記開口に対向して配置されたレンズと、前記開口から見て前記レンズの背後に配置された撮像素子と、を有し、前記被操作部は、前記レンズを光軸方向に移動させる移動機構である。
【０００９】
好適には、前記環状部は、前記溝部の底部に摺動可能に当接している。
【００１０】
好適には、前記溝部の底部には、係合用スリットが形成され、前記操作部材は、前記環状部から前記ケースの内部側に突出し、前記係合用スリットに挿入され、前記ケースの内部側から係合用スリットの縁部に係合する係合用脚部を有し、前記係合用スリットの内周側の面又は外周側の面には、前記環状部の周方向への回転に伴って前記係合用脚部に係合するとともに係合を解除してクリック感を生じさせる突部が形成されている。
【００１１】
好適には、前記操作部材は、前記ケースのうち前記溝部よりも外周側の面を覆う環状の被覆部を有している。
【発明の効果】
【００１２】
本発明によれば、環状の操作部材を有しつつ防水性が高い電子機器を提供できる。
【発明を実施するための最良の形態】
【００１３】
図１（ａ）は、本発明の実施形態に係る電子機器としての携帯電話機１の外観を示す斜視図である。
【００１４】
携帯電話機１は、いわゆる折り畳み式の携帯電話機として構成されており、開状態と閉状態との間で互いに回動可能に連結された第１筐体２及び第２筐体３を備えている。なお、図１（ａ）では、携帯電話機１の閉状態が示されており、また、第２筐体３は点線で示されている。
【００１５】
第１筐体２及び第２筐体３は、それぞれの端部が回動の中心となる連結部４により連結されることにより携帯電話機１全体の筐体を構成するようになっている。第１筐体２及び第２筐体３は、それぞれ概ね薄型直方体状に形成されており、閉状態では互いに重ねあわされて互いの輪郭が略一致する。
【００１６】
携帯電話機１は、特に図示しないが、電波を利用した無線通信を行うための内蔵アンテナや高周波回路、第１筐体２に設けられた通話用のスピーカ１１（図１（ｂ）参照）、第２筐体３に設けられた通話用のマイクロフォン、第２筐体３に設けられたダイヤルキーなどを備えており、無線通信を利用した通話やメールの送受信が可能である。
【００１７】
第１筐体２は、閉状態において第２筐体３と対向する対向面２ａ及びその背面となる背面２ｂとを有している。背面２ｂには、撮像部５、フラッシュ７、赤外線を利用した近距離通信を行うためのＩＲ通信部９が露出している。
【００１８】
図１（ｂ）は、第１筐体２の分解斜視図である。
【００１９】
第１筐体２は、対向面２ａを構成するフロントケース２１と、背面２ｂを構成するリアケース２３とを備えている。フロントケース２１及びリアケース２３は例えば樹脂により形成されている。フロントケース２１とリアケース２３とは、例えば、一方に設けられた不図示のネジボスに他方に挿通された不図示のネジが螺合されることにより互いに固定される。
【００２０】
フロントケース２１と、リアケース２３との間には、フロントケース２１側から、基板アセンブリ２５及びカメラモジュール２７が積層的に配置される。基板アセンブリ２５は、例えば、対向面２ａに画像を表示するメイン表示装置２９、背面２ｂに画像を表示するサブ表示装置３１、及び、メイン表示装置２９やサブ表示装置３１を駆動する駆動回路などの各種の回路が設けられる回路基板３３が積層されて構成されている。
【００２１】
リアケース２３には、カメラモジュール２７を露出させるための開口２３ｈが形成されており、リアケース２３の背面には、開口２３ｈを塞ぐ透光部材３５、透光部材３５を囲むように配置される環状の操作部材としてのマクロノブ３７が配置されている。
【００２２】
透光部材３５はカメラモジュール２７を水や埃から保護するためのものである。透光部材３５は、例えば透光性を有する樹脂により形成されている。透光部材３５は、例えば円盤状である。
【００２３】
マクロノブ３７は、カメラモジュール２７の撮影モードを、近距離撮影モードと遠距離撮影モードとの間で切り換えるためのものである。なお、カメラモジュール２７、透光部材３５、マクロノブ３７は撮像部５を構成している。
【００２４】
図２は、リアケース２３の開口２３ｈ周辺の分解斜視図である。
【００２５】
リアケース２３には、ウィンドウシート４１、透光部材３５、内周側パッキン４３、外周側パッキン４５、マクロノブ３７が順に積層的に（厳密には一部並列に）配置されている。
【００２６】
ウィンドウシート４１は、透光部材３５をリアケース２３に固定するためのものである。ウィンドウシート４１は、例えば環状（円形）の両面テープにより構成されている。両面テープは、例えばゴムやスポンジ等の弾性部材の両表面に粘着材が積層されて構成されている。
【００２７】
内周側パッキン４３はマクロノブ３７の内縁の防水を行うためのものであり、外周側パッキン４５はマクロノブ３７の外縁の防水を行うためのものである。内周側パッキン４３及び外周側パッキン４５は、例えばＯリングにより構成されている。Ｏリングは、断面がＯ字（円形）の環状パッキンである。内周側パッキン４３及び外周側パッキン４５は、例えばゴム等の弾性部材により構成されている。弾性部材は、弾性部材自体が潤滑性を有するか、弾性部材に潤滑剤が塗布されていることが好ましい。
【００２８】
図３（ａ）は、カメラモジュール２７の外観斜視図であり、図３（ｂ）は、カメラモジュール２７の断面図である。なお、図３（ａ）及び図３（ｂ）の紙面上方側がリアケース２３の開口２３ｈ側（被写体側）である。
【００２９】
カメラモジュール２７は、レンズ５１（図３（ｂ））と、レンズ５１の光軸上に、開口２３ｈから見てレンズ５１の背後側に配置された撮像素子５３（図３（ｂ））と、撮像素子５３が設けられたカメラ基板５５と、レンズ５１を保持する鏡筒５７と、鏡筒５７を保持するとともにカメラ基板５５が固定されるカメラ筐体５９と、鏡筒５７に固定されたレバー６１とを備えている。
【００３０】
開口２３ｈからレンズ５１に入射した光は、撮像素子５３の撮像面に結像する。撮像素子５３は、例えばＣＣＤやＣＭＯＳにより構成されており、入射した光に応じた電気信号を出力する。カメラ基板５５は、例えば樹脂をベースとしたプリント配線板により形成されており、撮像素子５３と不図示の画像処理部との間の電気信号の入出力を仲介する。撮像素子５３により撮像された画像は、不図示のメモリに記録されたり、メイン表示装置２９に表示される。
【００３１】
鏡筒５７は、例えば樹脂や金属により形成されている。鏡筒５７の内部にはレンズ５１が固定されている。鏡筒５７の外周面には雄ねじ部５７ａが形成されている。カメラ筐体５９は例えば樹脂や金属により形成されている。カメラ筐体５９には、鏡筒５７の雄ねじ部５７ａが螺合する雌ねじ部５９ａが形成されている。カメラ筐体５９とカメラ基板５５とは半田等の適宜な固定部材により互いに固定されている。レバー６１は例えば樹脂により構成されており、接着剤などの適宜な固定部材により鏡筒５７に固定されている。
【００３２】
レバー６１が矢印ｙ１（図３（ａ））で示す方向に駆動されると、鏡筒５７はカメラ筐体５９に対して回転する。すなわち、雄ねじ部５７ａは雌ねじ部５９ａに対して回転する。従って、鏡筒５７に固定されたレンズ５１は、カメラ筐体５９に対してカメラ基板５５を介して固定された撮像素子５３に対して、光軸方向において近接又は離間する。なお、鏡筒５７、カメラ筐体５９及びレバー６１は、レンズ５１を撮像素子５３に対して光軸方向に移動させる移動機構６３を構成している。
【００３３】
図４（ａ）は、マクロノブ３７を第１筐体２の外部側から見た斜視図であり、図４（ｂ）は、マクロノブ３７を第１筐体２の内部側から見た斜視図である。
【００３４】
マクロノブ３７は、例えば樹脂により形成されている。マクロノブ３７は、環状部６５と、環状部６５から第１筐体２の内部側に突出する操作用脚部６７及び係合用脚部６９とを備えている。
【００３５】
環状部６５は、平面視において点対象の形状、すなわち、円形に形成されている。マクロノブ３７は、環状部６５の周方向に回転操作される。環状部６５は、第１筐体２の背面２ｂに露出し、ユーザによって操作される露出面６５ａを有している。露出面６５ａには、ユーザの操作を容易にするための突起６５ｂが設けられている。
【００３６】
操作用脚部６７の先端中央には切り欠き部６７ａが形成されている。切り欠き部６７ａにはレバー６１が挿入される。すなわち、操作用脚部６７は環状部６５の周方向において（レバー６１の往復方向において）レバー６１に係合する。マクロノブ３７が環状部６５の周方向に回転されると、操作用脚部６７はレバー６１を図３の矢印ｙ１の方向に駆動する。
【００３７】
係合用脚部６９は、マクロノブ３７を第１筐体２のリアケース２３に係合させるためのものである。係合用脚部６９は、例えば環状部６５の中心を挟んで対向するように２個設けられている。係合用脚部６９の先端には係合爪６９ａが形成されている。
【００３８】
図５（ａ）は、リアケース２３を第１筐体２の外部側から見た平面図であり、図５（ｂ）は、リアケース２３を第１筐体２の内部側から見た平面図であり、図５（ｃ）は、図５（ａ）の開口２３ｈ周辺の拡大図である。
【００３９】
図５（ａ）及び図５（ｃ）に示すように、リアケース２３の外側面（背面２ｂ）には、開口２３ｈを囲む環状の溝部７１が形成されている（図１（ａ）、図２、図６（ｃ）も参照）。なお、溝部７１は、第１筐体２の内側面では、突条部７１′を構成している。溝部７１の外周側の側面７７及び内周側の側面７９は平面視において円形である。
【００４０】
図５（ｃ）においてハッチングして示すように、溝部７１の底部７２には、溝部７１の周方向に延びる操作用スリット７３及び係合用スリット７５が形成されている。操作用スリット７３は、操作用脚部６７が挿入されるものである。係合用スリット７５は、係合用脚部６９が挿入されるものである。
【００４１】
図６は、リアケース２３の開口２３ｈ周辺の部品の組み込み方法を説明する分解斜視図である。
【００４２】
図６（ａ）に示すように、外周側パッキン４５は、マクロノブ３７の環状部６５の外周に嵌め込まれる。図６（ｂ）に示すように、内周側パッキン４３は、溝部７１の内周側の側面７９に嵌め込まれる。図６（ｃ）に示すように、透光部材３５はウィンドウシート４１（図６では不図示）により開口２３ｈを塞ぐようにリアケース２３に固定される。そして、外周側パッキン４５が嵌め込まれたマクロノブ３７は、内周側パッキン４３が嵌め込まれた溝部７１に挿入される。
【００４３】
図７（ａ）は、上述のようにマクロノブ３７が溝部７１に挿入されたリアケース２３を第１筐体２の内部から見た斜視図であり、図７（ｂ）は、図７（ａ）の開口２３ｈ周辺の拡大図である。
【００４４】
操作用脚部６７は、操作用スリット７３に挿入され、第１筐体２内部に突出している。係合用脚部６９は、係合用スリット７５に挿入され、第１筐体２内部に突出している。係合爪６９ａは、第１筐体２の内部側から係合用スリット７５の縁部に係合している。
【００４５】
操作用スリット７３の長さは、操作用脚部６７の周方向の長さよりも長く、係合用スリット７５の長さは、係合用脚部６９の周方向の長さよりも長い。従って、マクロノブ３７は、操作用脚部６７が操作用スリット７３の内部を移動可能な範囲で、及び／又は、係合用脚部６９が係合用スリット７５の内部を移動可能な範囲で、環状部６５の周方向に沿って回転可能である。
【００４６】
図８（ａ）は、マクロノブ３７が取り付けられたリアケース２３の平面図であり、図８（ｂ）は、図８（ａ）のＶＩＩＩｂ−ＶＩＩＩｂ線矢視方向の断面図であり、図８（ｃ）は、図８（ｂ）の領域ＶＩＩＩｃの拡大図である。
【００４７】
環状部６５は、図４（ａ）、図４（ｂ）及び図８（ｃ）に示すように、円盤に開口３７ｈが形成された形状の露出部８１と、露出部８１から第１筐体２の内部側に突出する環状のリブによって形成された挿入部８３とを備えている。
【００４８】
図８（ｃ）に示すように、露出部８１のリアケース２３側の面は、リアケース２３のうち溝部７１よりも内周側であって開口２３ｈの外周側の領域に対向若しくは当接する。露出部８１は、透光部材３５よりも第１筐体２の外側に突出しており、透光部材３５の傷つきを防止している。
【００４９】
挿入部８３は、溝部７１に挿入され、挿入部８３の先端の摺動面８３ａは、図８（ｃ）の左側において示すように、溝部７１の底部７２に当接する。摺動面８３ａ及び溝部７１の底部７２は平面状に形成されており、マクロノブ３７を回転させたときには互いに摺動する。なお、摺動面８３ａ及び溝部７１の底部７２は、摩擦抵抗を低減するように鏡面加工されていてもよい。
【００５０】
図９（ａ）は、図８（ｃ）の領域ＩＸａ付近の拡大図である。
【００５１】
マクロノブ３７の環状部６５の外周面８５（より詳細には挿入部８３の外周面）は、第１筐体２の内部側の第１小径部８５ａと、第１小径部８５ａの第１筐体２の外部側に隣接し、第１小径部８５ａとの間に第１段差部８５ｃが形成されるように第１小径部８５ａよりも大径に形成された第１大径部８５ｂとを有している。
【００５２】
一方、溝部７１の外周側の側面７７は、第１筐体２の外部側に設けられた第３大径部７７ｂと、第３大径部７７ｂの第１筐体２の内部側に隣接し、第３大径部７７ｂとの間に第３段差部７７ｃが形成されるように第３大径部７７ｂよりも小径に形成された第３小径部７７ａとを有している。
【００５３】
第１小径部８５ａ及び第３小径部７７ａは概ね互いに嵌合する径である。第１大径部８５ｂ及び第３大径部７７ｂは概ね互いに嵌合する径である。第１段差部８５ｃ及び第３段差部７７ｃの大きさは同等である。外周側パッキン４５の直径は、第１段差部８５ｃ及び第３段差部７７ｃの大きさより若干大きい。外周側パッキン４５の内径は、第１小径部８５ａの直径に対して同等又は若干小さく、外周側パッキン４５は、第１小径部８５ａに密着される。
【００５４】
図６を参照して説明したように、外周側パッキン４５が第１小径部８５ａに嵌め込まれたマクロノブ３７を溝部７１に挿入すると、外周側パッキン４５の外周が第３大径部７７ｂに密着した状態で、外周側パッキン４５は溝部７１に挿入される。この際、第１段差部８５ｃは外周側パッキン４５に係合して、外周側パッキン４５の第１筐体２の外部側への移動を規制する。そして、最終的には、外周側パッキン４５は、第１段差部８５ｃと第３段差部７７ｃとの間の位置において、第１小径部８５ａと第３大径部７７ｂとに密着する。
【００５５】
なお、摺動面８３ａと溝部７１の底部７２とが当接するときの第１段差部８５ｃと第３段差部７７ｃとの距離は、弾性変形していない（押圧されていない）外周側パッキン４５の直径と同等又は大きく設定されている。ただし、上記の段差部間の距離は、外周側パッキン４５の直径より小さく設定されてもよい。
【００５６】
溝部７１の内周側の側面７９は、第１筐体２の外部側の第２小径部７９ａと、第２小径部７９ａの第１筐体２の内部側に隣接し、第２小径部７９ａとの間に第２段差部７９ｃが形成されるように第２小径部７９ａよりも大径に形成された第２大径部７９ｂとを有している。
【００５７】
一方、環状部６５の内周面８７は、第１筐体２の内部側に設けられた第４大径部８７ｂと、第４大径部８７ｂの第１筐体２の外部側に隣接し、第４大径部８７ｂとの間に第４段差部８７ｃが形成されるように第４大径部８７ｂよりも小径に形成された第４小径部８７ａ（図９（ｂ）参照）とを有している。なお、第４大径部８７ｂは、挿入部８３の内周面であり、第４小径部８７ａは、開口３７ｈを構成している。第４段差部８７ｃは、第４大径部８７ｂと、第４大径部８７ｂに直交する面が面取りされて面取り面８７ｄを有している。
【００５８】
第２大径部７９ｂ及び第４大径部８７ｂは概ね互いに嵌合する径である。外周側パッキン４５の直径は、第２段差部７９ｃの大きさより若干大きい。内周側パッキン４３の内径は、第２小径部７９ａの直径に対して同等又は若干小さく、内周側パッキン４３は、第２小径部７９ａに密着される。
【００５９】
従って、図６を参照して説明したように、内周側パッキン４３が第２小径部７９ａに嵌め込まれた状態でマクロノブ３７を溝部７１に挿入すると、内周側パッキン４３の外周が第４大径部８７ｂに密着した状態で、内周側パッキン４３はマクロノブ３７の内部に挿入される。この際、第２段差部７９ｃは内周側パッキン４３に係合して、内周側パッキン４３の第１筐体２の内部側への移動を規制する。そして、最終的には、内周側パッキン４３は、第２段差部７９ｃと第４段差部８７ｃ（より詳細には面取り面８７ｄ）との間の位置において、第２小径部７９ａと第４大径部８７ｂとに密着する。
【００６０】
なお、摺動面８３ａと溝部７１の底部７２とが当接するときの第２段差部７９ｃと面取り面８７ｄとの距離は、弾性変形していない（押圧されていない）内周側パッキン４３の直径と同等又は若干小さく設定されており、内周側パッキン４３は、第２段差部７９ｃ及び面取り面８７ｄにも密着する。ただし、上記の距離は、内周側パッキン４３の直径より大きく設定されてもよい。
【００６１】
図９（ｂ）は、図８（ｃ）の領域ＩＸｂ周辺の拡大図である。
【００６２】
溝部７１に囲まれる領域には、透光部材３５が嵌合挿入される凹部８９が形成され、凹部８９の底部に開口２３ｈが開口している。ウィンドウシート４１は、透光部材３５の外周部と、凹部８９の底部とに密着し、両者を固定している。なお、マクロノブ３７の開口３７ｈは、第１筐体２の内部側が凹部８９と同径で連続し、第１筐体２の外部側が拡径している。透光部材３５は、開口３７ｈにも挿入されている。
【００６３】
図９（ｃ）は、図８（ｃ）の領域ＩＸｃ付近の拡大図である。
【００６４】
マクロノブ３７の環状部６５は、リアケース２３のうち溝部７１よりも外周側の面を覆う環状の被覆部９１を有している。具体的には、リアケース２３には、溝部７１の外周側の側面７７（より詳細には第３大径部７７ｂ）と、背面２ｂとの稜部を面取りした面取り面９３が形成されており、被覆部９１は面取り面９３を覆っている。従って、被覆部９１は、リアケース２３のうち溝部７１よりも外周側の面を覆っているが、背面２ｂからの突出量は小さく抑えられている。なお、被覆部９１は、露出面が背面２ｂに連続するように外周側ほど薄く形成されている。
【００６５】
図１０（ａ）及び図１０（ｂ）は、マクロノブ３７のリアケース２３への係合及びマクロノブ３７のクリック機構を説明する断面図であり、図１０（ａ）は、図５（ｃ）のＸａ−Ｘａ線矢視方向の断面図、図１０（ｂ）は、図５（ｃ）のＸｂ−Ｘｂ線矢視方向の断面図である。
【００６６】
図４（ｂ）、図１０（ａ）及び図１０（ｂ）に示すように、係合用脚部６９の係合爪６９ａは、マクロノブ３７の内周側に突出するように形成されている。具体的には、係合爪６９ａの断面形状は、係合用脚部６９の先端側ほど細くなり、内周側に斜辺を有し、根元側に係合用脚部６９に直交する辺を有する直角三角形である。
【００６７】
図５（ｃ）に示すように、係合用スリット７５の内周側の側面９５には、周方向の中央に、外周側に突出する突部９５ａが形成されている。突部９５ａは、例えば、周方向の中央ほど徐々に突出量が大きくなるように形成されている。
【００６８】
図１０（ａ）に示すように、係合用スリット７５の端部側の幅Ｗ１は、係合爪６９ａの幅Ｗ２以上の大きさに設定されている。また、対向する２つの係合用脚部６９の距離は、係合用脚部６９と係合用スリット７５の内周側の側面９５との距離Ｗ３が、係合爪６９ａの内周側への突出量Ｗ４よりも小さく、かつ、突部９５ａの突出量Ｗ５（図１０（ｂ））よりも小さくなるように設定されている。
【００６９】
従って、係合用脚部６９を係合用スリット７５に挿入する際には、係合爪６９ａの斜辺が側面９５に対して摺動し、係合用脚部６９は、外周側（図１０の紙面右側）に曲がるように弾性変形する。係合爪６９ａが係合用スリット７５を通過すると、係合用脚部６９の曲げは復元力により矯正され、図１０（ａ）に示すように、係合爪６９ａは第１筐体２の内部側から係合用スリット７５の縁部に係合し、マクロノブ３７の抜けが防止される。
【００７０】
マクロノブ３７を溝部７１の周方向に回転操作する際には、突部９５ａが係合用脚部６９に係合する。更にマクロノブ３７を回転させると、図１０（ｂ）に示すように、係合用脚部６９は外周側に曲がるように弾性変形し、その復元力の増加に伴ってマクロノブ３７の回転に対する反力は増加する。係合用脚部６９が突部９５ａの頂点を越えると、換言すれば、係合が解除されると、係合用脚部６９の復元力は減少し、マクロノブ３７の回転に対する反力は減少する。以上のように、マクロノブ３７を回転させたときには、突部９５ａと係合用脚部６９の係合及び係合の解除に伴う、マクロノブ３７の回転に対する反力の増加及び減少によってクリック感が生じる。
【００７１】
以上の実施形態によれば、外側面において環状に延びる溝部７１と、溝部７１の底部７２に開口する操作用スリット７３とが形成された第１筐体２と、溝部７１に配置される環状部６５と、環状部６５から第１筐体２の内部側へ突出し、操作用スリット７３に挿入される操作用脚部６７とを有するマクロノブ３７と、第１筐体２内に設けられ、環状部６５の周方向への回転に伴って操作用脚部６７により操作される被操作部としての移動機構６３と、環状部６５の外周面８５と溝部７１の外周側の側面７７との隙間を塞ぐ環状の外周側パッキン４５と、環状部６５の内周面８７と溝部７１の内周側の側面７９との隙間を塞ぐ環状の内周側パッキン４３と、を有していることから、マクロノブ３７の内縁は内周側パッキン４３に防水され、マクロノブ３７の外縁は外周側パッキン４５により防水され、操作用スリット７３から第１筐体２の内部へ水が侵入することが防止される。
【００７２】
しかも、環状部６５の外周面８５は、第１筐体２の内部側の第１小径部８５ａと、第１小径部８５ａの第１筐体２の外部側に隣接し、第１小径部８５ａとの間に第１段差部８５ｃが形成されるように第１小径部８５ａよりも大径に形成された第１大径部８５ｂと、を有し、外周側パッキン４５は、第１小径部８５ａに密着され、溝部７１の内周側の側面７９は、第１筐体２の外部側の第２小径部７９ａと、第２小径部７９ａの第１筐体２の内部側に隣接し、第２小径部７９ａとの間に第２段差部７９ｃが形成されるように第２小径部７９ａよりも大径に形成された第２大径部７９ｂと、を有し、内周側パッキン４３は、第２小径部７９ａに密着されていることから、マクロノブ３７の第１筐体２への挿入に伴って、外周側パッキン４５が第１段差部８５ｃにより押圧され、内周側パッキン４３が第２段差部７９ｃにより押圧されるため、防水性を高めつつ、組み立てに際しては、図６を参照して説明したように、外周側パッキン４５にマクロノブ３７を挿通し、内周側パッキン４３に溝部７１の内周側の部分を挿通し、マクロノブ３７を溝部７１に挿入するだけでよく、組み立てが容易である。さらに、マクロノブ３７を溝部７１に挿入する際には、外周側パッキン４５は第１段差部８５ｃに係合し、内周側パッキン４３は第２段差部７９ｃに係合するから、外周側パッキン４５及び内周側パッキン４３の位置ずれも防止される。
【００７３】
溝部７１の外周側の側面７７は、第１筐体２の外部側に設けられ、第１小径部８５ａに嵌め込まれた外周側パッキン４５の外周に密着する第３大径部７７ｂと、第３大径部７７ｂの第１筐体２の内部側に隣接し、第３大径部７７ｂとの間に第３段差部７７ｃが形成されるように第３大径部７７ｂよりも小径に形成された第３小径部７７ａと、を有し、外周側パッキン４５は、第１段差部８５ｃと第３段差部７７ｃとの間に配置され、環状部６５の内周面８７は、第１筐体２の内部側に設けられ、第２小径部７９ａに嵌め込まれた内周側パッキン４３の外周に密着する第４大径部８７ｂと、第４大径部８７ｂの第１筐体２の外部側に隣接し、第４大径部８７ｂとの間に第４段差部８７ｃが形成されるように第４大径部８７ｂよりも小径に形成された第４小径部８７ａと、を有し、内周側パッキン４３は、第２段差部７９ｃと第４段差部８７ｃとの間に配置されていることから、外周側パッキン４５は、溝部７１への挿入方向の反対側から第３段差部７７ｃが係合可能であり、第１段差部８５ｃと第３段差部７７ｃとの間に好適に位置決めされ、内周側パッキン４３は、マクロノブ３７の内部への挿入方向の反対側から第４段差部８７ｃが係合可能であり、第２段差部７９ｃと第４段差部８７ｃとの間に好適に位置決めされる。例えば、内周側パッキン４３や外周側パッキン４５が意図されていない位置でマクロノブ３７とリアケース２３との間に挟まれることが防止される。
【００７４】
第１筐体２には、溝部７１に囲まれる領域に開口２３ｈが形成され、開口２３ｈは、透光部材３５により塞がれ、透光部材３５と第１筐体２とは、透光部材３５及び第１筐体２に密着し、開口２３ｈを囲む環状のウィンドウシート４１により固定されている。マクロノブ３７の内縁は内周側パッキン４３により防水されていることから、特許文献１のように透光部材３５によりマクロノブ３７の開口３７ｈを塞がなくても、開口３７ｈ及び操作用スリット７３を介して第１筐体２内部に水が浸入するおそれがない。従って、上述のように、透光部材３５をリアケース２３に固定し、透光部材３５に対してマクロノブ３７を回転可能にすることができる。開口２３ｈからの水の浸入は、ウィンドウシート４１により防止される。マクロノブ３７の操作の際には、透光部材３５もユーザにより押圧されてしまう可能性が高いが、透光部材３５はリアケース２３に固定されていることから、透光部材３５がマクロノブ３７やカメラモジュール２７に固定されている場合に比較して、透光部材３５の支持構造の強度は高く、損傷しにくい。
【００７５】
第１筐体２内に開口２３ｈに対向して配置されたレンズ５１と、開口２３ｈから見てレンズ５１の背後に配置された撮像素子５３と、被操作部として、レンズ５１を光軸方向に移動させる移動機構６３とを有していることから、レンズ５１や撮像素子５３を含むカメラモジュール２７と、撮影モードを切り替えるマクロノブ３７との一体感を向上させることができる。また、従来のようにレバー６１を筐体側部から突出させる構成に比較して、透光部材３５やカメラモジュール２７を含む撮像部５の配置の自由度が向上する。
【００７６】
環状部６５は、溝部７１の底部７２に摺動可能に当接している。従って、マクロノブ３７を操作する際にユーザがマクロノブ３７に押圧力を加えたとしても、内周側パッキン４３及び外周側パッキン４５のマクロノブ３７及び溝部７１に対する接触圧が過剰に高くなることが防止される。その結果、マクロノブ３７の回転に対する摩擦抵抗が高くなることが防止され、良好な操作性が得られる。
【００７７】
溝部７１の底部７２には、係合用スリット７５が形成され、マクロノブ３７は、環状部６５から第１筐体２の内部側に突出し、係合用スリット７５に挿入され、第１筐体２の内部側から係合用スリット７５の縁部に係合する係合用脚部６９を有し、係合用スリット７５の内周側の側面９５には、環状部６５の周方向への回転に伴って係合用脚部６９に係合するとともに係合を解除してクリック感を生じさせる突部９５ａが形成されていることから、係合用脚部６９によりマクロノブ３７の係合及びクリック感の発生の双方が実現され、部品点数の削減や小型化が図られる。
【００７８】
マクロノブ３７は、第１筐体２の溝部７１よりも外周側の面を覆う環状の被覆部９１を有している。換言すれば、マクロノブ３７の溝部７１に挿入される挿入部８３と溝部７１の外周側の側面７７との隙間は、被覆部９１により覆われる。従って、当該隙間に直接的に雨滴などが侵入することが防止され、防水効果が向上する。
【００７９】
以上の実施形態において、携帯電話機１は本発明の電子機器の一例であり、第１筐体２は本発明のケースの一例であり、マクロノブ３７は本発明の操作部材の一例であり、移動機構６３は本発明の被操作部の一例であり、ウィンドウシート４１は本発明の固定部材の一例である。
【００８０】
本発明は、以上の実施形態に限定されず、種々の態様で実施してよい。
【００８１】
電子機器は、回転操作される環状の操作部材を備えるものであればよく、携帯電話機に限定されない。例えば、ＰＤＡ、ノートパソコン、デジタルカメラ、プリンタであってもよい。
【００８２】
操作部材は、回転操作される環状のものであればよく、撮像モードを切り替えるマクロノブに限定されない。例えば、スピーカの音量を増減したり、表示装置の輝度を増減したり、ズームレンズの焦点距離を変更するものであってもよい。
【００８３】
被操作部は、実施形態の移動機構のように、操作用脚部の移動によって動力が伝達されて機械的に操作されるものに限定されず、電気的又は磁気的に操作されるものであってもよい。例えば、被操作部は、操作用脚部の近接又は離間に応じた信号を出力する静電容量式センサや磁気センサであってもよい。また、機械的に操作されるものである場合、被操作部は移動機構に限定されない。例えば、被操作部は、操作用脚部の移動により可動接点が固定接点に当接又は離間されるスイッチであってもよい。
【００８４】
第１〜第４の小径部、大径部、段差部は、操作部材又は溝部の適宜な位置に設けることができ、また、第２〜第４の小径部、大径部、段差部は、本発明の必須要件ではない。
【００８５】
図１１は、小径部、大径部、段差部の変形例を示している。図１１（ａ）に示すように、溝部の外周側の側面１７７には、第３小径部、第３大径部、第３段差部が形成されていなくてもよい。この場合であっても、外周側パッキン１４５をマクロノブ１３７の外周面１８５に形成された第１小径部１８５ａに嵌め込み、第１段差部１８５ｃを外周側パッキン１４５に係合させ、マクロノブ１３７を溝部１７１に挿入すれば、外周側パッキン１４５によりマクロノブ１３７と溝部１７１の外周側の側面１７７との隙間を塞ぐことができる。なお、図１１（ａ）に示すように、第１大径部１８５ｂは、溝部１７１に挿入されていなくてもよい。
【００８６】
図１１（ｂ）に示すように、溝部２７１の外周面２７７が、第３小径部２７７ａ、第３大径部２７７ｂ、第３段差部２７７ｃを有する場合に、マクロノブ２３７の第１大径部２８５ｂは、第３大径部２７７ｂに挿入されていなくてもよい。この場合であっても、外周側パッキン２４５をマクロノブ２３７の外周面２８５に形成された第１小径部２８５ａに嵌め込み、第１段差部２８５ｃを外周側パッキン２４５に係合させ、マクロノブ２３７を溝部２７１に挿入すれば、外周側パッキン２４５によりマクロノブ２３７と溝部２７１の外周面２７７との隙間を塞ぐことができる。
【００８７】
図１１（ｃ）に示すように、マクロノブ３３７の内周面３８７に第４小径部３８７ａ、第４大径部３８７ｂ、第４段差部３８７ｃが形成されている場合、第４小径部３８７ａが溝部３７１の外周面３７９に形成された第２小径部３７９ａに挿入されてもよい。この場合であっても、内周側パッキン３４３を第２小径部３７９ａに嵌め込み、第２段差部３７９ｃを内周側パッキン３４３に係合させ、マクロノブ３３７を溝部３７１に挿入すれば、内周側パッキン３４３によりマクロノブ３３７の内周面３８７と溝部３７１の内周側の側面３７９との隙間を塞ぐことができる。なお、図１１（ｃ）の変形例では、溝部３７１の外周面３７９は、第４大径部３８７ｂが概ね嵌合する第２大径部３７９ｂ、第２大径部３７９ｂと第２小径部３７９ａとの間の第２段差部３７９を有している。
【００８８】
図１１（ｄ）に示すように、溝部４７１の外周側の側面４７９には、第２小径部、第２大径部、第２段差部が設けられていなくてもよい。この場合であっても、内周側パッキン４４３を溝部４７１の側面４７９に嵌め込み、溝部４７１の底部を内周側パッキン４４３に係合させ、マクロノブ４３７を溝部４７１に挿入すれば、内周側パッキン４４３によりマクロノブ４３７の内周面４８７と溝部４７１の内周側の側面４７９との隙間を塞ぐことができる。
【００８９】
環状の操作部材に囲まれる領域に形成された開口は、種々の用途に利用されてよい。例えば、当該開口から表示装置の表示面を露出させてもよいし、当該開口を赤外線を利用した通信を行う通信窓としてもよいし、当該開口からフラッシュを露出させてもよい。
【００９０】
係合用脚部の係合爪は、係合用スリットの外周側の縁部に係合するものでもよい。クリック感を生じさせるための突部は、係合用スリットの外周側の面に設けられてもよい。なお、実施形態のように、係合爪の係合する縁部と、突部が設けられる面とが係合用スリットの同一側である場合には、係合用脚部は、係合爪を挿入する際の弾性変形の方向と、突部に係合する際の弾性変形の方向とが同一になるから、係合爪、突部及び係合用スリットを小型化しつつ高いクリック感を得ることができる。
【図面の簡単な説明】
【００９１】
【図１】本発明の実施形態に係る携帯電話機の外観を示す斜視図及び一部分解斜視図。
【図２】図１の携帯電話機のリアケースの撮像部周辺の分解斜視図。
【図３】図１の携帯電話機のカメラモジュールを示す斜視図及び断面図。
【図４】図１の携帯電話機のマクロノブを示す斜視図。
【図５】図１の携帯電話機のリアケースの平面図及び一部拡大図。
【図６】図５のリアケースへの部品組み込み方法を説明する図。
【図７】図５のリアケースの部品組み込み後の斜視図及び一部拡大図。
【図８】図５のリアケースの部品組み込み後の平面図及び断面図。
【図９】図８の一部拡大断面図。
【図１０】図４のマクロノブの係合及びクリック感発生機構を説明する断面図。
【図１１】本発明の変形例を示す断面図。
【符号の説明】
【００９２】
１…携帯電話機（電子機器）、２…第１筐体（ケース）、２３…リアケース、３７…マクロノブ（操作部材）、４３…内周側パッキン、４５…外周側パッキン、６３…移動機構（被操作部）、６５…環状部と、６７…操作用脚部、７１…溝部、７３…操作用スリット、８５…環状部の外周面、８５ａ…第１小径部、８５ｂ…第１大径部、８５ｃ…第１段差部。
【図１】
2008060860.tif 000003
【図２】
2008060860.tif 000004
【図３】
2008060860.tif 000005
【図４】
2008060860.tif 000006
【図５】
2008060860.tif 000007
【図６】
2008060860.tif 000008
【図７】
2008060860.tif 000009
【図８】
2008060860.tif 000010
【図９】
2008060860.tif 000011
【図１０】
2008060860.tif 000012
【図１１】
2008060860.tif 000013